(57)【要約】【課題】神式、仏式、キリスト教式、その他の方式の各方式の葬儀に対応して飾り付けが可能で、各方式の別と、各宗旨宗派の別を認識可能にする。【解決手段】ガラスまたは樹脂材料から成る透明体にて式体本体３を形成するとともにこの式体本体３に葬儀の方式を示す式彫を施した式体２と、この式体２を安置する載置台１と、この載置台１に内装した前記式体２を照光する複数色の発光ダイオードとから成り、式体２を下方から発光ダイオードで照射し、式体本体および式彫の美観、荘厳さをきわだたせる。【選択図】        図１
2004147749.tif 000002
【特許請求の範囲】
【請求項１】
葬儀に於ける祭壇の飾り付け方法において、葬儀の方式を示す式体を配置すると共に前記式体を照光手段により照光しつつ飾り付けることを特徴とする葬儀に於ける祭壇の飾り付け方法。
【請求項２】
前式体は、葬儀の方式としての神式、仏式、キリスト教式、その他の教会式、その他の葬儀の方式を示す神像、仏像、十字架あるいはロザリオ、その他の式彫を施すとともに式体本体をガラスまたは樹脂の透明体にて形成した式体を使用することを特徴とする請求項１記載の葬儀に於ける祭壇の飾り付け方法。
【請求項３】
ガラスまたは樹脂材料から成る透明体にて式体本体を形成するとともにこの式体本体に葬儀の方式を示す式彫を施した式体と、この式体を安置する載置台と、この載置台に内装した前記式体を照光する照光手段とから構成したことを特徴とする葬儀に於ける祭壇の飾り付け方法に使用する式体。
【請求項４】
前記式体は少なくとも神式、仏式、教会式に使用する３式体の組み合わせから構成したことを特徴する葬儀に於ける祭壇の飾り付け方法に使用する式体。
【請求項５】
前記式体は、前記式体本体に、少なくとも各宗派の本尊を彫刻することにより形成した各宗派の仏式用の式体の組み合わせから構成したことを特徴とする請求項３記載の葬儀に於ける祭壇の飾り付け方法に使用する式体。
【請求項６】
前記載置台に内装した前記式体の照光手段は、複数色の発光ダイオードを列設するとともに各発光ダイオードを間隔を置いて発光するように構成したことを特徴とする請求項１の葬儀に於ける祭壇の飾り付け方法。
【請求項７】
前記載置台に内装した前記式体の照光手段は、複数色の発光ダイオードを列設するとともに各発光ダイオードを間隔を置いて発光するように構成したことを特徴とする請求項３記載の葬儀に於ける祭壇の飾り付け方法に使用する式体。
【発明の詳細な説明】
【０００１】
【発明の属する技術分野】
本発明は、葬儀に於ける祭壇の飾り付け方法とこれに使用する式体に関するものである。
【０００２】
【従来の技術】
従来の葬儀に当たっては、お通夜、葬儀、告別式が行われるとともに神式、仏式、キリスト教等の方式に従って行われるのが一般的である。
【０００３】
そして、各方式による葬儀には、各方式の式次第により行われるとともに、各方式に従った祭壇が使用される。
【０００４】
また、葬儀におけるお通夜、葬儀の儀礼は、地域・宗旨宗派などにより異なるもので、前記各方式に従った祭壇の飾り付けも相違するものである。
【０００５】
従来、葬儀の方式を直接的には表示しないが、透明なアクリル樹脂材を用い、このアクリル樹脂板にレーザー光により故人に関する事項を刻設している（例えば、特許文献１参照。）。
【０００６】
また、透明または半透明のアクリル樹脂材により位牌本体を作成し、位牌本体の背面に故人に関する事項を彫刻し、この位牌本体を基台上に載置し、基台に内装した発光ダイオードにより位牌本体を下方より照射している（例えば、特許文献２参照。）。
【０００７】
【特許文献１】
特開２００２−８５２４９号公報（第２−３頁、図１）
【特許文献２】
特願２００２−２５３６７７号明細書（第４−５頁、図１）
【０００８】
【発明が解決しようとする課題】
前記したように葬儀の方式には大別して、神式、仏式、キリスト教式の各方式が存在するとともに各方式により祭壇の飾り付け方法を異にするとともに、各方式においても、お通夜、葬儀の儀礼は地域、宗旨宗派などによって異なり、祭壇の飾り付け方法も当然異なってくるのである。
【０００９】
そして、弔問客は、葬儀の儀礼に従った弔問を行うものである。
しかるに、前記祭壇の飾り付け方法においては、神式、仏式、キリスト教式の別については、比較的判断し易く、弔問客は葬儀の儀式の内容を把握した弔問が可能であるが、宗旨宗派の別となると、その相違を把握した弔問はなかなか困難となる。
【００１０】
よって、本発明は、神式、仏式、キリスト教式、その他の方式の各方式の葬儀に於ける飾り付け方法に対応し得る飾り付けが可能であるとともに、各方式の別と、各宗旨、宗派の別をも認識し得る飾り付けの可能な方法を提供せんとする。
【００１１】
また、各方式の認識を容易にするとともに各方式の飾り付けの特異性を強調することができ、さらに、各宗旨、宗派の別をも認識するのに役立つ式体の提供を目的とするものである。
【００１２】
【課題を解決するための手段】
本発明の請求項１の発明は、前記目的を達成するため、葬儀に於ける祭壇の飾り付け方法において、葬儀の方式を示す式体を配置すると共に前記式体を照光手段により照光しつつ飾り付けることを特徴とする。
【００１３】
また、請求項２の発明は、前式体は、葬儀の方式としての神式、仏式、キリスト教式、その他の教会式、その他の葬儀の方式を示す神像、仏像、十字架あるいはロザリオ、その他の式彫を施すとともに式体本体をガラスまたは樹脂の透明体にて形成した式体を使用することを特徴とする。
【００１４】
そして、請求項３の発明は、ガラスまたは樹脂材料から成る透明体にて式体本体を形成するとともにこの式体本体に葬儀の方式を示す式彫を施した式体と、この式体を安置する載置台と、この載置台に内装した前記式体を照光する照光手段とから構成したことを特徴とする。
【００１５】
さらに、請求項４の発明は、前記式体は少なくとも神式、仏式、教会式に使用する３式体の組み合わせから構成したことを特徴する。
【００１６】
また、請求項５の発明は、前記式体は、前記式体本体に、少なくとも各宗派の本尊を彫刻することにより形成した各宗派の仏式用の式体の組み合わせから構成したことを特徴とする。
【００１７】
そして、請求項６の発明は、前記請求項１の発明の飾り付け方法に於いて、前記載置台に内装した前記式体の照光手段は、複数色の発光ダイオードを列設するとともに各発光ダイオードを間隔を置いて発光するように構成したことを特徴とする。
【００１８】
また、請求項７の発明は、前記請求項３の発明の式体に於いて、前記載置台に内装した前記式体の照光手段は、複数色の発光ダイオードを列設するともに各発光ダイオードを間隔を置いて発光するように構成したことを特徴とする請求項３記載の葬儀に於ける祭壇の飾り付け方法に使用する式体。
【００１９】
本発明の請求項１，３によれば、弔問者は式体を見ることで葬儀の方式が明らかになり、戸惑うことなく葬儀に参列することが可能になる。また、式体を照光手段により照光することで美観が創出されるとともに葬儀の荘厳さが加味される。また、夜などに行われる葬儀にあっても、式体を照光することで式体に示される葬儀の方式が弔問客にとって容易に認識可能となる。
【００２０】
本発明の請求項２，４によれば、式体に神像、仏像、十字架などを式彫することで、葬儀の方式が一見して明らかになる。また、式彫する式体本体を透明体にすることで、前記照光手段による照光により式体内部から発光させ、式彫をきわだたせることが可能になる。
【００２１】
本発明の請求項５によれば、仏教の宗派により葬儀の方式も異なるが、式体本体に式彫した各宗派の本尊により各宗派に則した葬儀に沿って参列することが可能になる。
【００２２】
本発明の請求項６，７によれば、複数色の発光ダイオードにより異なる色を間隔を置いて発光させることで、発光ダイオードが発光する色に加え、各色が混ざり合って様々な色合いを式体に照光することが可能になる。
【００２３】
【発明の実施の形態】
（実施の形態１）
本発明の実施の形態１を図１〜５に基づいて説明する。図１は載置台上に配置した状態を示す正面図、図２は図１の右側面図、図３は図１の平面図、図４は図１の背面図、図５は載置台の平面図である。
【００２４】
図１〜４に示すように、載置台１上の略中央には式体２が配置されており、式体２の配置は載置台１にそのまま安置しても良いし、ネジ止めしても良い。
【００２５】
式体２は、縦長の略長方形板状の式体本体３と、この式体本体３に式彫し弔問者に対して神式、仏式、キリスト教式等からなるお通夜、葬儀の方式を判り易く示す神像、仏像、十字架等の模様からなっている。
【００２６】
式体本体３は、下端に基部４が一体的に形成されるとともに、その上端は板状片の両側部に繋がる円弧状に形成されている。式体本体３の表面には、左右両側部寄りに下端部から円弧部３ａにかけて平面状の面取り３ｂが施されており、基部４は長方形板の両端が円弧状に形成された形状となっている。式体本体３は基部４と別体とし、その相互間を接着剤により接着して一体化しても良いし、式体本体３に基部４を一体に成形しても良い。式体本体３（基部４を含む）はガラス材または樹脂材が用いられて透明体に形成されており、無色透明あるいは有色透明となっている。
【００２７】
式体本体３の式彫は、図４に示すように、式体本体３の裏面にレーザー光で鏡像に刻設され、式体本体３の正面から見た際に正しく見られるようになっている。なお、仏式に用いる式体本体３には、宗派別の仏像（本尊）および唱える言葉が刻設されている。
【００２８】
載置台１は長方立方体状で、図５に示すように、その上面の略中央には式体本体３の基部４より小さな孔部１ａが開口され、前記式体本体３の基部４の底面で孔部１ａを塞ぐように式体本体３が配置可能になっている。また、載置台１の内部には、照光手段としての複数色の発光ダイオード５が孔部１ａを通して基部４から式体本体３に照光できるように内装されている。発光ダイオード５を点灯する電源としてはコード６を介して外部の電源に接続するか、または載置台１に電池（図示省略）を内蔵しても良い。
【００２９】
本実施の形態では、発光ダイオード５は、青、緑、赤の色を発光可能なものが２個づつ計６個配置されており、それぞれ隣り合わないように列設され、同色が同期して発光・消光し、かつ異色が間隔を置いて発光・消光するとともに、２色が時間差を有して同時に発光可能なっている。例えば、まず、青色の発光ダイオード５ａが発光すると式体本体３は青色になり、その後、緑色の発光ダイオード５ｂが発光すると式体本体３は青緑色になる。そして、青色の発光ダイオード５ａが消光すると式体本体３は緑色になり、その後、赤色の発光ダイオード５ｃが発光すると式体本体３は薄い橙色になる。さらに、緑色の発光ダイオード５ｂが消光すると式体本体３は赤色になり、再び青色の発光ダイオード５ａが発光すると式体本体３は薄い桃色になる。その後赤色の発光ダイオード５ｃが消光して、青色の発光ダイオード５ａのみによる式体本体３の照射が始まり、その後上述の各色の照射を繰り返す。この際、式体本体３の色変わりは、瞬間的に起こらず徐々に行われる。なお、発光ダイオード５の色は３種類に限られず、単色、２色、さらには４色であっても良い。さらに、同色の個数を１個、あるいは３個以上としても良い。
【００３０】
本実施の形態によれば、式体２により神式、仏式あるいはキリスト教式などのお通夜、葬儀の方式が容易に判断でき、戸惑うことなく弔問を行うことができる。また、仏教にあっては、宗派により弔問方式が異なるが、式体本体３に式彫された本尊、唱える言葉により識別することができる。さらに、式体２が発光ダイオード５により照射され複数色に色変わりすることで、式体２を構成する式体本体３と式彫の美観が創出され、かつ荘厳さが増すことになる。また、式体２を載置台１にそのまま載置あるいはネジ止め可能であるので、葬儀の方式に対応させて式体２を容易に取り替えることができる。
【００３１】
（実施の形態２）
本発明の実施の形態２を図６に基づいて説明する。図６は本実施の形態の式体を一部省略して示す正面図である。
【００３２】
本実施の形態は、真言宗の仏事に用いる式体１０を示しており、式体本体１１の裏面上部には本尊である「大日如来」の像がレーザー光により刻設されるとともに、本尊の下方には唱える言葉である「南無大師遍照金剛」の文字が同様に刻設されている。なお、式体１０の形状は、実施の形態１で説明した式体１と同様の形体に形成されるとともに、ガラス材あるいは樹脂材で透明に形成され無色透明または有色透明となっている。以下の実施の形体においても同様であり、その説明は省略する。
【００３３】
（実施の形態３）
本発明の実施の形態３を図７に基づいて説明する。図７は本実施の形態の式体を一部省略して示す正面図である。
【００３４】
本実施の形態は、臨済宗の仏事に用いる式体１５を示しており、式体本体１６の裏面上部には本尊である「釈迦牟尼仏」の像がレーザー光により刻設されるとともに、本尊の下方には唱える言葉である「南無釈迦牟尼仏」の文字が同様に刻設されている。
【００３５】
（実施の形態４）
本発明の実施の形態４を図８に基づいて説明する。図８は本実施の形態の式体を一部省略して示す正面図である。
【００３６】
本実施の形態は、浄土宗の仏事に用いる式体２０を示しており、式体本体２１の裏面上部には本尊である「阿弥陀如来」の像がレーザー光により刻設されるとともに、本尊の下方には唱える言葉である「南無阿弥陀仏」の文字が同様に刻設されている。
【００３７】
（実施の形態５）
本発明の実施の形態５を図９に基づいて説明する。図９は本実施の形態の式体を一部省略して示す正面図である。
【００３８】
本実施の形態は、真言大谷派の仏事に用いる式体２５を示しており、式体本体２６の裏面上部には本尊である「阿弥陀如来」の像がレーザー光により刻設されるとともに、本尊の下方には唱える言葉である「南無阿弥陀仏」の文字が同様に刻設されている。
【００３９】
（実施の形態６）
本発明の実施の形態６を図１０に基づいて説明する。図１０は本実施の形態の式体を一部省略して示す正面図である。
【００４０】
本実施の形態は、浄土真宗の仏事に用いる式体３０を示しており、式体本体３１の裏面上部には本尊である「阿弥陀如来」の像がレーザー光により刻設されるとともに、本尊の下方には唱える言葉である「南無阿弥陀仏」の文字が同様に刻設されている。
【００４１】
（実施の形態７）
本発明の実施の形態７を図１１に基づいて説明する。図１１は本実施の形態の式体を一部省略して示す正面図である。
【００４２】
本実施の形態は、日蓮宗の仏事に用いる式体３５を示しており、式体本体３６の裏面上部には本尊である「大曼荼羅」の像がレーザー光により刻設されるとともに、本尊の下方には唱える言葉である「南無妙法蓮華経」の文字が同様に刻設されている。
【００４３】
（実施の形態８）
本発明の実施の形態８は、曹洞宗の仏事に用いる式体で、図示を省略するが式体本体の裏面上部には本尊である「南無釈迦牟尼仏」がレーザー光により刻設されるとともに、本尊の下方には唱える言葉である「南無釈迦牟尼仏」の文字が同様に刻設されている。
【００４４】
（実施の形態９）
本発明の実施の形態９を図１２に基づいて説明する。図１２は本実施の形態の式体を一部省略して示す正面図である。
【００４５】
本実施の形態は、神道の仏事に用いる式体４５を示しており、式体本体４６の裏面には「鳥居」の図形がレーザー光により刻設され、行われる通夜や葬儀の方式が神道であると表示可能となっている。なお、式彫は鳥居に限らず、「狛犬」や「榊」の式彫など神道を表し、葬儀の方式を認識可能なものであれば良い。
【００４６】
（実施の形態１０）
本発明の実施の形態１０を図１３に基づいて説明する。図１３は本実施の形態の式体を一部省略して示す正面図である。
【００４７】
本実施の形態は、キリスト教に用いる式体５０を示しており、式体本体５１の裏面にはキリスト教による式を示す「十字架」の図形がレーザー光により刻設されている。なお、式彫は十字架に限られず、キリストやマリア、ロザリオなどキリスト教を表し認識可能なものであれば良い。
【００４８】
【発明の効果】
以上説明したように、本発明の請求項１，３によれば、式体により葬儀の方式が認識できるとともに、式体を照光手段により照光することで、美観および荘厳さを加味することができる。
【００４９】
また、本発明の請求項２，４によれば、式体本体に神像、仏像、十字架あるいはロザリオを式彫して式体とすることで、葬儀が神式、仏式、キリスト教式、ｓこの他の教会式など、一見して葬儀の方式を認識することができる。また、式体本体をガラスまたは樹脂の透明体により形成することで、前記照光手段により照光し、式体本体ばかりでなく、式彫をもきわだたせることができる。
【００５０】
さらに、本発明の請求項５によれば、仏式であっても宗派によって葬儀の方式が異なることがあるが、式体に宗派に沿った本尊を彫刻することで弔問者に宗派を認識させることができる。
【００５１】
そして、本発明の請求項６，７によれば、複数色の発光ダイオードにより色毎に間隔を置いて式体を照射することで、発光ダイオードの発光色ばかりでなく、混ざり合った色合いが式体に表れ、美観および荘厳を発揮させることができる。
【図面の簡単な説明】
【図１】本発明の実施の形体１を示し、載置台に式体を載置した状態を示す正面図である。
【図２】図１の右側面図である。
【図３】図１の平面図である。
【図４】図１の背面図である。
【図５】図１の載置台を示す平面図である。
【図６】本発明の実施の形態２に係る式体を一部省略して示す正面図である。
【図７】本発明の実施の形態３に係る式体を一部省略して示す正面図である。
【図８】本発明の実施の形態４に係る式体を一部省略して示す正面図である。
【図９】本発明の実施の形態５に係る式体を一部省略して示す正面図である。
【図１０】本発明の実施の形態６に係る式体を一部省略して示す正面図である。
【図１１】本発明の実施の形態７に係る式体を一部省略して示す正面図である。
【図１２】本発明の実施の形態９に係る式体を一部省略して示す正面図である。
【図１３】本発明の実施の形態１０に係る式体を一部省略して示す正面図である。
【符号の説明】
１  載置台
２，１０，１５，２０，２５，３０，３５，４５，５０  式体
３，１１，１６，２１，２６，３１，３６，４６，５１  式体本体
４  基部
５  発光ダイオード
６  コード
【図１】
2004147749.tif 000003
【図２】
2004147749.tif 000004
【図３】
2004147749.tif 000005
【図４】
2004147749.tif 000006
【図５】
2004147749.tif 000007
【図６】
2004147749.tif 000008
【図７】
2004147749.tif 000009
【図８】
2004147749.tif 000010
【図９】
2004147749.tif 000011
【図１０】
2004147749.tif 000012
【図１１】
2004147749.tif 000013
【図１２】
2004147749.tif 000014
【図１３】
2004147749.tif 000015